(57)【要約】      （修正有）【課題】電力供給が不要な可搬浄化処理装置を提供する。【解決手段】可搬の給水用容器２の給入口３に空気入れポンプ５で空気注入加圧可能に空気注入具６を装着した給入口キャップ４を設け、給水用容器２の給出口７に給出ホース８を設けて、給出ホース８の他端を浄化フイルターを設けた可搬の浄化処理器１０に接続して浄化処理する。給水用容器２を伸縮または折り畳み可能なフレキシブル袋または容器とする。【選択図】図１
0003170281.tif 000002
【実用新案登録請求の範囲】
【請求項１】
災害時や飲料水の入手困難な場所や時において、河川水や井戸水、プール水などの非浄化水を給水用容器に装填して、この給水用容器の非浄化水を浄化して飲料水化や生活用水化する可搬浄化処理装置であって、
可搬の給水用容器の給入口に空気入れポンプで空気注入加圧可能に空気注入具を装着した給入口キャップを設け、
上記給水用容器の給出口に給出ホースを設けて、給出ホースの他端を浄化フイルターを設けた可搬の浄化処理器に接続して浄化処理するように形成したことを特徴とする可搬浄化処理装置。
【請求項２】
給水用容器が伸縮または折り畳み可能なフレキシブル袋または容器であり、このフレキシブル袋または容器の給水用容器に給入口を設けて、その給入口キャップ具に空気注入具を設けた請求項１に記載の可搬浄化処理装置。
【請求項３】
給水用容器および給出ホースを透明材で形成した請求項１または２に記載の可搬浄化処理装置。
【請求項４】
浄化処理器に非浄化水を浄化するために、ゴミ取り浄化フイルター、脱臭活性炭浄化フイルター、ミクロ雑菌浄化フイルターを設けて浄化処理するように形成した請求項１ないし３のいずれかに記載の可搬浄化処理装置。
【請求項５】
給水用容器に複数の給入口キャップを設けた請求項１ないし４のいずれかに記載の可搬浄化処理装置。
【考案の詳細な説明】
【技術分野】
【０００１】
本考案は、災害時や国内、国外での飲料水の入手困難なときに、非浄化水を浄化して飲料水や生活用水にできる、特に電力の供給が不要な可搬浄化処理装置に関するものである。
【背景技術】
【０００２】
地震や火山爆発などの災害時にライフラインが寸断された場合や国内でのレジャー先や、国外での飲料水の入手困難なときなど、浄化処理した飲料水や生活用水が入手できない場合には、援助の補給水に頼ったり、仕方なく河川水等を加熱処理して飲水したり、汚染された水をそのまま飲まざるを得ないことがある。
【０００３】
このようなことから、特開平９−２２０５５８号公報や実用新案登録第３０４０２３１号公報には、災害時等で飲料水を入手できないときに役立たせるために、携帯式や可搬式の浄水器を提案している。
【先行技術文献】
【特許文献】
【０００４】
【特許文献１】特開平９−２２０５５８号公報
【特許文献２】実用新案登録第３０４０２３１号公報
【考案の開示】
【考案が解決しようとする課題】
【０００５】
しかし、前者の特開平９−２２０５５８号公報では、可搬式であるものの、原水を汲みあげるために吸引装置に動力を必要とするとともに、簡易に持ち運べるものでない。また、後者の実用新案登録第３０４０２３１号公報では、前者に比べて簡易に持ち運べて動力を必要としないものの、加圧タンクの開口部に手動式ポンプを装着してその加圧操作で除菌フィルターモジュール側へ押し出して浄水化するものであり、特定の手動ポンプを加圧タンクに装着しなければならず、かつ手動ポンプを上下動するときだけ加圧するもので、効率がよくない。そのため、可搬式で、動力を必要とすることなく、しかも操作が簡単で、効率よく浄水化することが課題であった。
【課題を解決するための手段】
【０００６】
本考案は、上記のような点に鑑みたもので、上記の課題を解決するために、実用新案登録請求の範囲の請求項１のように、災害時や飲料水の入手困難な場所や時において、河川水や井戸水、プール水などの非浄化水を給水用容器に装填して、この給水用容器の非浄化水を浄化して飲料水化や生活用水化する可搬浄化処理装置であって、可搬の給水用容器の給入口に空気入れポンプで空気注入加圧可能に空気注入具を装着した給入口キャップを設け、上記給水用容器の給出口に給出ホースを設けて、給出ホースの他端を浄化フイルターを設けた可搬の浄化処理器に接続して浄化処理するように形成したことを特徴とする可搬浄化処理装置を提供するにある。
【０００７】
また、同上の請求項２のように、給水用容器が伸縮または折り畳み可能なフレキシブル袋または容器であり、このフレキシブル袋または容器の給水用容器に給入口を設けて、その給入口キャップ具に空気注入具を設けたことを特徴とする可搬浄化処理装置を提供するにある。
【０００８】
さらに、同上の請求項３のように、給水用容器および給出ホースを透明材で形成したことを特徴とする可搬浄化処理装置を提供するにある。
【０００９】
さらに、同上の請求項４のように、浄化処理器に非浄化水を浄化するために、ゴミ取り浄化フイルター、脱臭活性炭浄化フイルター、ミクロ雑菌浄化フイルターを設けて浄化処理するように形成したことを特徴とする可搬浄化処理装置を提供するにある。
【００１０】
さらにまた、同上の請求項５のように、給水用容器に複数の給入口キャップを設けたことを特徴とする可搬浄化処理装置を提供するにある。
【考案の効果】
【００１１】
本考案は、請求項１のように、可搬の給水用容器の給入口に空気入れポンプで空気注入加圧可能に空気注入具を装着した給入口キャップを設け、上記給水用容器の給出口に給出ホースを設けて、給出ホースの他端を浄化フイルターを設けた可搬の浄化処理器に接続して浄化処理するように形成したことによって、給水用容器の給水口キャップの空気注入具に自転車やサッカー、バレーボール等のボール等の空気入れポンプの空気供給具を接続して空気入れポンプを操作すると、加圧空気が給水用容器に充填されて加圧状態にでき、装填した非浄化水を給出ホースを介して浄化処理器側に送出して浄化処理できる。そのため、電力やエンジン等の動力は一切不要で、かつ簡単に所要の圧力を加えられ、搬送も容易で、広く利用できる。
【００１２】
また、請求項２のように、給水用容器が伸縮または折り畳み可能なフレキシブル袋または容器であり、このフレキシブル袋または容器の給水用容器に給入口を設けて、その給入口キャップ具に空気注入具を設けたことによって、伸縮または折り畳み自在なフレキシブル袋または容器の給水用容器を利用でき、嵩ばらずに縮ませたり、折り畳んで搬送でき、使用時には上記のように給水口キャップを介して空気を供給して加圧できて、非浄化水を浄化することができる。
【００１３】
さらに、請求項３のように、給水用容器および給出ホースを透明材で形成したことによって、非浄化水の装填量や残量、給出状態を肉眼で確認できて浄化処理することができる。
【００１４】
さらにまた、請求項４のように、浄化処理器に非浄化水を浄化するために、ゴミ取り浄化フイルター、脱臭活性炭浄化フイルター、ミクロ雑菌浄化フイルターを設けて浄化処理するように形成したことによって、給出された非浄化水は、ゴミが除去され、脱臭活性化、殺菌浄化され、安全に飲料水や生活用水にすることができる。
【００１５】
さらにまた、請求項５のように、給水用容器に複数の給入口キャップを設けたことによって、複数の空気入れポンプの操作によって、迅速に飲料水化できる。
【図面の簡単な説明】
【００１６】
【図１】本考案の一実施例の概要図、
【図２】同上の給水用容器およびキャップ部の説明用図、
【図３】同上の他の給水用容器およびキャップ部の説明用図、
【考案を実施するための形態】
【００１７】
本考案の可搬浄化処理装置は、災害時や飲料水の入手困難な場所や時において、河川水や井戸水、プール水などの非浄化水を給水用容器に装填して、この給水用容器の非浄化水を浄化して飲料水化や生活用水化する可搬浄化処理装置であって、可搬の給水用容器の給入口に空気入れポンプで空気注入加圧可能に空気注入具を装着した給入口キャップを設け、上記給水用容器の給出口に給出ホースを設けて、給出ホースの他端を浄化フイルターを設けた可搬の浄化処理器に接続して浄化処理するように形成したことを特徴としている。
【００１８】
可搬浄化処理装置１は、図１のように搬送容易な給水用容器２の給入口３から災害時や飲料水の入手困難な場所や時において、河川水や井戸水、プール水などの非浄化水を注入して装填可能としていて、この給入口３の給入口キャップ４に空気入れポンプ５の空気注入用の空気注入具６を気密的に装着し、空気入れポンプ５で内部を所要の加圧状態にできるようにしている。
【００１９】
そして、給水用容器２の給出口７に所定の長さの給出ホース８を取り付けた給出口キャップ９を水密的に装着可能とし、加圧した非浄化水を給出ホース８を介して浄化処理器１０に送給して浄化処理するようにしている。
【００２０】
上記給水用容器２は、可搬の１８l〜２０lのポリ容器や１８l缶等とすることができ、特に伸縮可能や折り畳み可能なフレキシブル袋または容器を利用することが図２のように伸縮したり、折り畳んで収容でき、嵩ばらずに搬送でき、また装置を安価にできて、好ましい。
【００２１】
そして、その給入口３の給水口キャップ４には、上記したように図１のような自転車や自動車等の空気注入用の空気注入具６を一体的に気密的に装着し、自転車やサッカー、バレーボール等のボール等の空気入れポンプの空気供給具１１を接続し、給水用容器２に加圧空気を注入して充填できるようにしている。
【００２２】
また、上記給水用容器２の給出口７には、その給出口キャップ９にフレキシブルホースや蛇腹状ホース等の給出ホース８の一端部を内部に所要量挿入して一体的に水密的に接合し、この給出ホース８の他端部を浄化処理器１０の浄化接続管１２に水密的に接続できるようにしている。
【００２３】
浄化処理器１０は、図１のように箱状の浄化処理箱１３に内装していて、浄化接続管１２にゴミ取り浄化フィルター１４、脱臭活性炭浄化フィルター１５、ミクロ雑菌浄化フィルター１６の各浄化フィルターモジュールをそれぞれ交換可能に接続し、給水用容器２から送給される非浄化水のゴミ除去、脱臭活性化、雑菌浄化を順次に行って浄化できるようにし、その末端の浄化水ホース１７を介して浄化水を給出できるようにしている。なお、浄化処理箱１３は、軽量材で形成していて、キャリヤー１８に塔載してハンドル１９をもって搬送自在としている。
【００２４】
上記ゴミ取り浄化フィルター１４としては主にフィルターの目詰まり防止用で、濾過精度５μｍの濾過容量のものを使用し、脱臭活性炭浄化フィルター１５としては主に脱臭活性化用で、濾過精度０．５μｍの活性炭フィルター粒子の濾過容量のものを使用し、ミクロ雑菌浄化フィルター１６としては塩素除去、不純物除去、殺菌浄化等用で、濾過精度０．２μｍ以上の濾過容量のものを使用して、安全で奇麗な水に浄化処理できるようにしている。なお、その他に、非浄化水に対応して、有効な浄化フィルターを追加したり、代替したりすることも可能である。
【００２５】
給水用容器２は、図２のように所定厚のシートでフレキシブル袋または容器とすることが好ましく、その適宜な位置に給水口キャップ４に空気注入具６を装着して、空気入れポンプ５で空気の注入を行なえるようにできる。なお、複数（２個位）の給水口キャップ４を設けて、それぞれ空気注入具６をそれぞれ装着したり、給水口キャップ４に複数（２個位）の空気注入具６を設けて、複数の空気入れポンプ５で空気の注入を行えるようにもできる。
【００２６】
給水用容器２を図２のようにフレキシブル袋または容器とすることで、浄化処理箱１３にフレキシブル袋または容器の給水用容器２を折り畳んだり、縮ませて浄化処理器１０に内装でき、装置をコンパクトにできて、搬送容易にできる。必要により、複数のフレキシブル袋または容器の給水用容器２を収容して、多量の非浄化水を浄化処理するようにできる。
【００２７】
また、給入口キャップ４に空気注入具６および給出ホース８を装着して、１個の給入口キャップ４で空気の注入および非浄化水の給出を行えるようにして、部品数を削減してコストダウンをはかるようにもできる。なお、図３のように給水用容器２の上面に給入口キャップ４を、給水用容器２の下面や側面に給出口キャップ９を設けることができる。
【００２８】
上記給水用容器２には、図１のように空気注入加圧による破損防止のために、金具フレーム等の破損防止ケース２１や耐久性や強度のあるナイロンやビニール等のベルト状材による破損防止ケース２１や、網等のメッシュケース、フレキシブルコンテナ袋等の破損防止袋を被覆するなど、適宜の補強をすることができる。
【００２９】
上記では、いろいろな実施態様について説明したが、本考案の趣旨にもとづいてその他の実施態様を採取することができるものである。
【実施例】
【００３０】
図１は、本考案の一実施例を示すものである。可搬浄化処理装置１は、図１のように搬送容易な２０l容量のフレキシブル袋の給水用容器２の給入口３から河川水などの非浄化水を注入して装填可能としていて、この給入口３の給入口キャップ４に空気入れポンプ５の空気注入具６を気密的に装着し、空気入れポンプ５で内部を３〜５Ｋｇ／cm2の加圧状態にできるようにしている。
【００３１】
そして、上記給水用容器２の給出口７に一端側を内部に挿入して所定の長さの給出ホース８を取り付けた給出口キャップ９を水密的に装着し、加圧した非浄化水を給出ホース８を介して浄化処理器１０に送給して浄化処理するようにしている。その給入口３の給入口キャップ４には、図１のように自転車の空気注入用の空気注入具６に空気入れポンプ５の空気供給具１１を接続し、加圧空気を注入して充填できるようにしている。
【００３２】
また、上記給水用容器２の給出口７には、その給出口キャップ９にフレキシブルホースの給出ホース８の一端部を一体的に水密的に接合し、この給出ホース８の他端部を浄化処理器１０の浄化接続管１２に水密的に接続できるようにしている。浄化処理器１０は、図１のように開閉可能とした箱状の軽量な浄化処理箱１３に内装し、浄化接続管１２にゴミ取り浄化フィルター１４、脱臭活性炭浄化フィルター１５、ミクロ雑菌浄化フィルター１６の各浄化フィルターモジュールをそれぞれ交換可能に接続し、給水用容器２から送給される非浄化水のゴミ除去、脱臭活性化、雑菌浄化を順次に行って浄化できるようにし、その末端の浄化水ホース１７を介して浄化水を給出できるようにしている。なお、浄化処理箱１３は、キャリヤー１８に塔載可能として搬送自在のものとしている。
【００３３】
ゴミ取り浄化フィルター１４としては濾過精度５μｍの濾過容量のものを使用し、脱臭活性炭浄化フィルター１５としては濾過精度０．５μｍの活性炭フィルター粒子の濾過容量のものを使用し、ミクロ雑菌浄化フィルター１６としては濾過精度０．２μｍ以上の濾過容量のものを使用して、安全で奇麗な水に浄化処理できるようにしている。
【００３４】
たとえば、河川水等の非浄化水をバケツや灯油給入用等の手動ポンプで給水用容器２に給入口キャップ４をはずして装填し、１０ｍlの塩素水を注入し、給水用容器２をよく振り、非浄化水を殺菌する。
【００３５】
そして、給水用容器２に上記給入口キャップ４、給出口キャップ９を取り付け、給出ホース８を浄化処理器１０に接続し、空気入れポンプ５の空気供給具１１を給水用容器２の空気注入具６に装着して、空気入れポンプ５を操作して空気を注入して加圧する。
【００３６】
給水用容器２の非浄化水は、加圧されて給出口７から給出し、浄化処理器１０のゴミ取り浄化フィルター１４、脱臭活性炭浄化フィルター１５、ミクロ雑菌浄化フィルター１６で次々と浄化され、端末の浄化ホース１７から浄化水が流出して飲用や生活用に使用することができる。
【００３７】
このように電力は一切不要で、加圧空気が給水用容器２に充填されて加圧状態にでき、装填した非浄化水を給出ホース８を介して浄化処理器１０側に送出して浄化処理できる。また、給出された非浄化水は、ゴミが除去され、脱臭活性化、雑菌浄化されて安全に飲料水や生活用水にすることができる。そのため、災害時や国内、国外での飲料水の入手困難なときに、容易に搬送できて、有効に役立つものである。
【００３８】
特に、給水用容器２を伸縮、折り畳み可能なフレキシブル袋または容器であることによって、図２のように給水用容器２を嵩ばらずに折り畳んで搬送でき、使用時には上記のように空気を供給して加圧できて、非浄化水を浄化することができて好ましい。
【００３９】
また、給水用容器２および給出ホース８を透明材で形成すると、非浄化水の装填量や残量、給出状態を肉眼で確認できて浄化処理することができて好ましい。
【００４０】
さらにまた、給水用容器２に複数の給入口キャップ４を取付可能に設けると、複数の空気入れポンプ５で迅速に飲料水化できる。
【産業上の利用可能性】
【００４１】
本考案は、地震や火山爆発などの災害時にライフラインが寸断された場合や、国内でのレジャー先、国外での飲料水の入手困難なとき、浄化処理した飲料水や生活用水が入手できない場合等に広く利用することができる。
【符号の説明】
【００４２】
１…可搬浄化処理装置    ２…給水用容器    ３…給入口    ４…給入口キャップ  
５…空気入れポンプ      ６…空気注入具    ７…給出口    ８…給水ホース
９…給出口キャップ    １０…浄化処理器
【図１】
0003170281.tif 000003
【図２】
0003170281.tif 000004
【図３】
0003170281.tif 000005